【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局が、免許支援アクセス（ＬＡＡ）ネットワークにおけるクリアチャネルアセスメント（ＣＣＡ）を実行することに関連付けられて使用される乱数を決定することと、
オフセット値を使用して前記乱数を修正することと、
前記基地局が、前記修正された乱数に基づいて、前記ＣＣＡを実行する時間を決定すること、ここにおいて、前記乱数を決定することおよび前記乱数を修正することのうちの少なくとも１つは、ＣＣＡを実行するために前記決定された時間が１つまたは複数の他の基地局と衝突しないように前記１つまたは複数の他の基地局と連携して実行される、と
を備える、方法。
【請求項２】
前記乱数を生成することは、
前記乱数にオフセット値を加えること、または
前記乱数から前記オフセット値を引くこと
を備える、請求項１に記載の方法。
【請求項３】
前記基地局は、ＣＣＡを実行するために前記決定された時間が前記１つまたは複数の他の基地局と衝突しないように、前記基地局が前記乱数にオフセットを加えるまたは前記乱数から前記オフセットを引くことになると決定することまたは前記乱数を決定することのために前記１つまたは複数の他の基地局と調整する、請求項２に記載の方法。
【請求項４】
第１のフレームについて前記乱数に前記オフセット値を加えることと、
第２のフレームについて前記乱数から前記オフセット値を引くことと
を備える、請求項１に記載の方法。
【請求項５】
前記基地局および前記１つまたは複数の他の基地局は、同じユーザ機器（ＵＥ）の通信範囲内にある、
請求項１に記載の方法。
【請求項６】
複数の数のセットから数のセットを選択すること、ここにおいて、前記複数の数のセット中の各数のセットは、あるセットに表わされる数が別のセットに表わされることはないような数の一意のグループを含む、と、
前記数のセットに基づいて前記乱数を決定することと
をさらに備える、請求項１に記載の方法。
【請求項７】
前記数のセットは、前記基地局に対応する識別番号に基づいて選択される、
請求項６に記載の方法。
【請求項８】
前記乱数を決定することは、複数の数のセットの各々のあるインデックスにおける一意の数を各々が含む前記複数の数のセットのうちの１つから前記乱数を選択することを備える、
請求項１に記載の方法。
【請求項９】
前記１つまたは複数の他の基地局のうちの少なくとも１つから前記乱数を識別する情報を受信することをさらに備える、
請求項１に記載の方法。
【請求項１０】
チャネル品質インジケータ（ＣＱＩ）劣化イベントを検出することと、
１つまたは複数の基準が満たされるとき、前記ＣＱＩ劣化イベントを検出するにもかかわらず、ダウンリンクデータレートを維持することと
をさらに備える請求項１に記載の方法。
【請求項１１】
ユーザ機器から、前記ユーザ機器が干渉を受けているというインジケーションを受信することと、
前記ユーザ機器が干渉を受けているという前記インジケーションに基づいて前記ダウンリンクデータレートを維持することと
をさらに備える、請求項１０に記載の方法。
【請求項１２】
ワイヤレス通信のための基地局であって、
請求項１乃至１１の何れかに記載の前記方法を実行することを行うように構成された１つまたは複数のプロセッサを備える、基地局。
【請求項１３】
ワイヤレス通信のための命令を記憶する非一時的なコンピュータ可読媒体であって、前記命令は、
基地局の１つまたは複数のプロセッサによって実行されると、前記１つまたは複数のプロセッサに、請求項１乃至１１のいずれか１項に記載の方法を実行することを
を行わせる、非一時的なコンピュータ可読媒体。
【手続補正２】
【補正対象書類名】明細書
【補正対象項目名】０１２５
【補正方法】変更
【補正の内容】
【０１２５】
本開示の先の説明は、本開示を製造または使用することをいずれの当業者にも可能にさせるために提供される。本開示に対する様々な修正は、当業者には容易に明らかであり、本明細書において定義された包括的な原理は、本開示の趣旨または範囲から逸脱することなく他のバリエーションに適用され得る。従って、本開示は、本明細書で説明された例および設計に限定されるように意図されたものではなく、本明細書で開示された原理および新規の特徴と一致する最大範囲を与えられるものとする。
以下に、本願出願の当初の特許請求の範囲に記載された発明を付記する。
［Ｃ１］
ワイヤレス通信のための方法であって、
基地局が、免許支援アクセス（ＬＡＡ）ネットワークにおけるクリアチャネルアセスメント（ＣＣＡ）を実行することに関連付けられて使用される乱数を決定すること、
前記乱数は、１つまたは複数の他の基地局によって決定された１つまたは複数の他の乱数と連携して決定される、と、
前記基地局が、前記乱数に基づいて、前記１つまたは複数の他の基地局と衝突するのを低減または防止するために前記ＣＣＡを実行する時間を決定することと
を備える、方法。
［Ｃ２］
オフセット値を使用して前記乱数を修正することと、
前記オフセット値を使用して前記乱数を修正することに基づいて前記ＣＣＡを実行する前記時間を決定することと
をさらに備える、［Ｃ１］に記載の方法。
［Ｃ３］
前記乱数を生成することは、
前記乱数にオフセット値を加えること、または
前記乱数から前記オフセット値を引くこと
を備える、［Ｃ２］に記載の方法。
［Ｃ４］
第１のフレームについて前記乱数にオフセット値を加えることと、
第２のフレームについて前記乱数から前記オフセット値を引くことと
を備える、［Ｃ１］に記載の方法。
［Ｃ５］
前記基地局および前記１つまたは複数の他の基地局は、同じユーザ機器（ＵＥ）の通信範囲内にある、
［Ｃ１］に記載の方法。
［Ｃ６］
複数の数のセットから数のセットを選択すること、ここにおいて、前記複数の数のセット中の各数のセットは、数の一意のグループを含む、と、
前記数のセットに基づいて前記乱数を決定することと
をさらに備える、［Ｃ１］に記載の方法。
［Ｃ７］
前記数のセットは、前記基地局に対応する識別番号に基づいて選択される、
［Ｃ６］に記載の方法。
［Ｃ８］
前記乱数を決定することは、複数の数のセットの各々のあるインデックスにおける一意の数を各々が含む前記複数の数のセットのうちの１つから前記乱数を選択することを備える、
［Ｃ１］に記載の方法。
［Ｃ９］
前記１つまたは複数の他の基地局のうちの少なくとも１つから前記乱数を識別する情報を受信することをさらに備える、
［Ｃ１］に記載の方法。
［Ｃ１０］
チャネル品質インジケータ（ＣＱＩ）劣化イベントを検出することと、
１つまたは複数の基準が満たされるとき、前記ＣＱＩ劣化イベントを検出するにもかかわらず、ダウンリンクデータレートを維持することと
をさらに備える［Ｃ１］に記載の方法。
［Ｃ１１］
ユーザ機器から、前記ユーザ機器が干渉を受けているというインジケーションを受信することと、
前記ユーザ機器が干渉を受けているという前記インジケーションに基づいて前記ダウンリンクデータレートを維持することと
をさらに備える、［Ｃ１０］に記載の方法。
［Ｃ１２］
ワイヤレス通信のための基地局であって、
免許支援アクセス（ＬＡＡ）ネットワークにおけるクリアチャネルアセスメント（ＣＣＡ）を実行することに関連付けられて使用される乱数を決定すること、
前記乱数は、１つまたは複数の他の基地局によって決定された１つまたは複数の他の乱数と連携して決定される、と、
前記乱数に基づいて、前記１つまたは複数の他の基地局と衝突するのを低減または防止するために前記ＣＣＡを実行する時間を、決定することと
を行うように構成されるプロセッサを備える、基地局。
［Ｃ１３］
前記１つまたは複数のプロセッサは、
オフセット値を使用して前記乱数を修正することと、
前記オフセット値を使用して前記乱数を修正することに基づいて前記ＣＣＡを実行する前記時間を決定することと
を行うようにさらに構成される、［Ｃ１２］に記載の基地局。
［Ｃ１４］
前記１つまたは複数のプロセッサは、
第１のフレームについて前記乱数にオフセット値を加えることと、
第２のフレームについて前記乱数から前記オフセット値を引くことと
を行うようにさらに構成される、［Ｃ１２］に記載の基地局。
［Ｃ１５］
前記基地局および前記１つまたは複数の他の基地局は、同じユーザ機器（ＵＥ）の通信範囲内にある、
［Ｃ１２］に記載の基地局。
［Ｃ１６］
前記１つまたは複数のプロセッサは、
複数の数のセットから数のセットを選択すること、ここにおいて、前記複数の数のセット中の各数のセットは、数の一意のグループを含む、と、
前記数のセットに基づいて前記乱数を決定することと
を行うようにさらに構成される、［Ｃ１２］に記載の基地局。
［Ｃ１７］
前記数のセットは、前記基地局に対応する識別番号に基づいて選択される、
［Ｃ１６］に記載の基地局。
［Ｃ１８］
前記１つまたは複数のプロセッサは、前記乱数を決定するとき、
複数の数のセットの各々のあるインデックスにおける一意の数を各々が含む前記複数の数のセットのうちの１つから前記乱数を選択することを行うように構成される、
［Ｃ１２］に記載の基地局。
［Ｃ１９］
ワイヤレス通信のための装置であって、
免許支援アクセス（ＬＡＡ）ネットワークにおけるクリアチャネルアセスメント（ＣＣＡ）を実行することに関連付けられて使用される乱数を決定するための手段、
前記乱数は、１つまたは複数の他の基地局によって決定された１つまたは複数の他の乱数と連携して決定される、と、
前記乱数に基づいて、前記１つまたは複数の他の基地局と衝突するのを低減または防止するために前記ＣＣＡを実行する時間を決定するための手段と
を備える、装置。
［Ｃ２０］
オフセット値を使用して前記乱数を修正するための手段と、
前記オフセット値を使用して前記乱数を修正することに基づいて前記ＣＣＡを実行する前記時間を決定するための手段と
をさらに備える、［Ｃ１９］に記載の装置。
［Ｃ２１］
前記乱数を修正するための手段は、
前記乱数にオフセット値を加えるための手段、または
前記乱数から前記オフセット値を引くことための手段
を備える、［Ｃ２０］に記載の装置。
［Ｃ２２］
第１のフレームについて前記乱数にオフセット値を加えるための手段と、
第２のフレームについて前記乱数から前記オフセット値を引くための手段と
をさらに備える、［Ｃ１９］に記載の装置。
［Ｃ２３］
チャネル品質インジケータ（ＣＱＩ）劣化イベントを検出するための手段と、
１つまたは複数の基準が満たされるとき、前記ＣＱＩ劣化イベントを検出するにもかかわらず、ダウンリンクデータレートを維持するための手段と
をさらに備える、［Ｃ１９］に記載の装置。
［Ｃ２４］
ユーザ機器から、前記ユーザ機器が干渉を受けているというインジケーションを受信するための手段と、
前記ユーザ機器が干渉を受けているという前記インジケーションに基づいて前記ダウンリンクデータレートを維持するための手段と
をさらに備える、［Ｃ２３］に記載の装置。
［Ｃ２５］
ワイヤレス通信のための命令を記憶する非一時的なコンピュータ可読媒体であって、前記命令は、
基地局の１つまたは複数のプロセッサによって実行されると、前記１つまたは複数のプロセッサに、
免許支援アクセス（ＬＡＡ）ネットワークにおけるクリアチャネルアセスメント（ＣＣＡ）を実行することに関連付けられて使用される乱数を決定すること、
前記乱数は、１つまたは複数の他の基地局によって決定された１つまたは複数の他の乱数と連携して決定される、と、
前記乱数に基づいて、前記１つまたは複数の他の基地局と衝突するのを低減または防止するために前記ＣＣＡを実行する時間を決定することと
を行わせる１つまたは複数の命令を備える、非一時的なコンピュータ可読媒体。
［Ｃ２６］
前記１つまたは複数の命令は、前記１つまたは複数のプロセッサによって実行されると、前記１つまたは複数のプロセッサに、
複数の数のセットから数のセットを選択すること、ここにおいて、前記複数の数のセット中の各数のセットは、数の一意のグループを含む、と、
前記数のセットに基づいて前記乱数を決定することと
を行わせる、［Ｃ２５］に記載の非一時的なコンピュータ可読媒体。
［Ｃ２７］
前記数のセットは、前記基地局に対応する識別番号に基づいて選択される、
［Ｃ２６］に記載の非一時的なコンピュータ可読媒体。
［Ｃ２８］
前記１つまたは複数のプロセッサに前記乱数を決定させる前記１つまたは複数の命令は、前記１つまたは複数のプロセッサに、
複数の数のセットの各々のあるインデックスにおける一意の数を各々が含む前記複数の数のセットのうちの１つから前記乱数を選択することを行わせる、
［Ｃ２５］に記載の非一時的なコンピュータ可読媒体。
［Ｃ２９］
前記１つまたは複数の命令は、前記１つまたは複数のプロセッサによって実行されると、前記１つまたは複数のプロセッサに、
前記１つまたは複数の他の基地局のうちの少なくとも１つから前記乱数を識別する情報を受信することを行わせる、
［Ｃ２５］に記載の非一時的なコンピュータ可読媒体。
［Ｃ３０］
前記１つまたは複数の命令は、前記１つまたは複数のプロセッサによって実行されると、前記１つまたは複数のプロセッサに、
チャネル品質インジケータ（ＣＱＩ）劣化イベントを検出することと、
ユーザ機器から、前記ユーザ機器が干渉を受けているというインジケーションを受信することと、
前記ユーザ機器が干渉を受けているという前記インジケーションに基づいて、前記ＣＱＩ劣化イベントを検出するにもかかわらず、ダウンリンクデータレートを維持することと
を行わせる、［Ｃ２５］に記載の非一時的なコンピュータ可読媒体。